(57)【特許請求の範囲】
【請求項１】
上方に開口するバネ収容室が形成され、バネ収容室の内底面に固定接点と切り換え接点が露出する絶縁ケースと、
導電金属薄板をドーム状に折り曲げて形成され、ドーム状の周縁が固定接点に常時接触し、内頂部が切り換え接点の鉛直線上の上方に離間して、バネ収容室に収容される反転バネと、
絶縁ケースに収容される反転バネの頂部に接し、バネ収容室の開口を覆う可撓性シートと、
反転バネの頂部が接する部位の可撓性シート上に固着されるアクチュエータとを備え、
アクチュエータを押し下げて反転動作する反転バネにより、固定接点と切り換え接点間を短絡させるプッシュスイッチであって、
アクチュエータは、紫外線硬化型接着剤に対し分離可能な非着型材を用いて、可撓性シート上に吐出した前記紫外線硬化型接着剤を、前記非着型材の水平面とした底面で可撓性シート側に押し込んだ状態で、紫外線硬化させて形成されることを特徴とするプッシュスイッチ。
【請求項２】
非着型材で紫外線硬化型接着剤を押し込む押圧力は、反転バネを反転動作させる押圧力未満であることを特徴とする請求項１に記載のプッシュスイッチ。
【請求項３】
アクチュエータは、水平方向の外径が０．６５ｍｍ以上で、反転バネの直径に対して４０％未満であることを特徴とする請求項１又は請求項２のいずれか１項に記載のプッシュスイッチ。
【請求項４】
（ア）絶縁ケースの平面から凹設され、内底面に固定接点と切り換え接点が露出するバネ収容室内に、導電金属薄板をドーム状に折り曲げて形成した反転バネを、ドーム状の周縁が固定接点に常時接触し、内頂部が切り換え接点の鉛直線上の上方に離間するように収容する第１工程と、
（イ）バネ収容室内に反転バネを収容した絶縁ケースの平面に可撓性シートを固着し、可撓性シートの底面に反転バネの頂部が接する状態で、バネ収容室の開口を覆う第２工程と、
（ウ）反転バネの頂部が接する部位の可撓性シート上に、未硬化の紫外線硬化型接着剤を吐出する第３工程と、
（エ）可撓性シート上に吐出した未硬化の紫外線硬化型接着剤を、該紫外線硬化型接着剤に対し分離可能な非着型材の水平面とした底面で可撓性シート側に押し込み、未硬化の紫外線硬化型接着剤を型決めする第４工程と、
（オ）型決めした未硬化の紫外線硬化型接着剤に紫外線を照射し、硬化した紫外線硬化型接着剤から平面が水平面のアクチュエータを形成する第５工程と、
を備えたことを特徴とするプッシュスイッチの製造方法。
【請求項５】
第４工程で、未硬化の紫外線硬化型接着剤を非着型材の底面で押し込む押圧力は、反転バネを反転動作させる押圧力未満であることを特徴とする請求項４に記載のプッシュスイッチの製造方法。
【発明の詳細な説明】
【技術分野】
【０００１】
本発明は、アクチュエータの下降により、固定接点と切り換え接点間が短絡するプッシュスイッチとその製造方法に関し、更に詳しくは、アクチュエータの下降によりその下方に配置されるドーム状の反転バネを反転動作させ、反転動作した反転バネにより固定接点と切り換え接点間が短絡するプッシュスイッチとその製造方法に関する。
【背景技術】
【０００２】
微小ストロークでスイッチング動作する小型のプッシュスイッチには、固定接点と切り換え接点間を短絡する可動接点板として、薄型金属板をドーム状に折り曲げ加工して形成した反転バネのいわゆるメタルタクト板（以下、ＭＴ板という）を用いたプッシュスイッチが知られている（特許文献１）。
【０００３】
以下、このＭＴ板１０１を可動接点板に用いた従来のプッシュスイッチ１００を図７を用いて説明する。プッシュスイッチ１００は、固定接点１０３と切り換え接点１０４が表面に露出する絶縁基板１０２上にＭＴ板１０１を配置して形成される。
【０００４】
ＭＴ板１０１は、その表面に沿って配置される可撓性シート１０５に頂部が粘着して可撓性シート１０５の底面側に粘着保持され、可撓性シート１０５の周囲を絶縁基板１０２の表面に貼り付けることにより、絶縁基板１０２上に位置決めされる。この状態で、ＭＴ板１０１は、ドーム状の周囲の一部が固定接点１０３上に載置されて固定接点１０３と常時接触し、内頂部が切り換え接点１０４の鉛直線上の上方に隔てられ、切り換え接点１０４と絶縁している。ＭＴ板１０１と固定接点１０３及び切り換え接点１０４の全体を可撓性シート１０５で覆われ、これらのスイッチ部品が外部と遮断されている。
【０００５】
底面にＭＴ板１０１の頂部が粘着する可撓性シート１０５の表面側には、紫外線硬化型接着剤１０６によって平面が平坦面となった円柱小片で形成されたアクチュエータ１０７が固着され、アクチュエータ１０７の上方に機器のケースなどに上下動自在に取り付けられた操作ボタン１０８が配設される。
【０００６】
操作ボタン１０８を押し下げ操作すると、押し下げられるアクチュエータ１０７によって、ドーム状のＭＴ板１０１が図中左側のプッシュスイッチ１００に示すように反転動作する。ＭＴ板１０１が反転動作することにより、内頂部が切り換え接点１０４に接触し、切り換え接点１０４と固定接点１０３間が短絡してスイッチング動作が行われる。スイッチング動作の当初、ＭＴ板１０１は、急激に反転動作して金属製の切り換え接点１０４に当接する衝撃で微振動し、切り換え接点１０４に接離するいわゆるチャタリングが発生する恐れがあるが、頂部に接する可撓性シート１０５により微振動が吸収される。
【０００７】
また、操作ボタン１０８への押し下げ操作力を解くと、反転動作していたＭＴ板１０１は、自らの弾性によってドーム状の原形状に復帰し、切り換え接点１０４と固定接点１０３間が絶縁されると共に、操作ボタン１０８は、押し下げ操作前の位置まで押し上げられる。
【０００８】
上述のドーム状のＭＴ板１０１は、直径を２乃至３ｍｍ、内頂面までの高さを０．２ｍｍ程度まで小型化して形成することができ、操作ボタン１０８を０．２ｍｍ以下のストロークで押し下げるだけでスイッチング動作し、スイッチング動作するＭＴ板１０１の反転動作時に押し下げ操作力は急激に低下してクリック感が発生する。これにより、操作者は、微小ストロークでありながら、プッシュスイッチ１００がスイッチング動作したことを明瞭なクリック感から知ることができる。
【０００９】
この操作ボタン１０８の押し下げ操作の際には、操作ボタン１０８に加えられる押し下げ操作力が、ＭＴ板１０１の頂部上方に固着するアクチュエータ１０７を介してＭＴ板１０１に伝達されるので、ドーム状の周囲が押圧されて反転することがなく、良好なクリック感得られる。また、アクチュエータ１０７の平面は平坦面となっているので、操作ボタン１０８の中心や操作ボタン１０８の押し下げ操作位置が、ＭＴ板１０１の内頂部の鉛直軸線から外れていても、鉛直方向に押し下げられるアクチュエータ１０７により、ＭＴ板１０１の内頂部は、確実に鉛直方向で対向する切り換え接点１０４に向かって反転動作する。
【先行技術文献】
【特許文献】
【００１０】
【特許文献１】特開２００４−１９３０４７号公報
【発明の概要】
【発明が解決しようとする課題】
【００１１】
上述した従来のプッシュスイッチ１００は、アクチュエータ１０７の底面と可撓性シート１０５の間に塗布した紫外線硬化型接着剤に紫外線を照射して硬化させ、ＭＴ板１０１の内頂部の鉛直線上の上方の可撓性シート１０５にアクチュエータ１０７を固着する。従って、円柱小片のアクチュエータ１０７を製造して用意する必要があると共に、アクチュエータ１０７を可撓性シート１０５上の上記所定位置に配置し、アクチュエータ１０７を位置決めしながら、可撓性シート１０５との間に吐出した紫外線硬化型接着剤に紫外線を照射するという煩雑な加工工程を要していた。特に、アクチュエータ１０７を固着する可撓性シート１０５の表面は、ドーム状のＭＴ板１０１に沿った球面となっているので、アクチュエータ１０７の平面を水平面に保った状態で、球面の可撓性シート１０５上に固着する工程は極めて困難なものであった。
【００１２】
先にアクチュエータ１０７を可撓性シート１０５の所定部位に固着しておき、絶縁基板１０２上に位置決めしたＭＴ板１０１に上方から、アクチュエータ１０７を固着した可撓性シート１０５を重ね、絶縁基板１０２の表面に貼り付ければ、上述の作業性は改善されるが、可撓性シート１０５でＭＴ板１０１を位置決めした際の高さにばらつきが生じ、高精度で絶縁基板１０２からアクチュエータ１０７の平面までの高さを均一化したプッシュスイッチ１００は、製造できなかった。一方、上述の通り、ＭＴ板１０１を用いたプッシュスイッチ１００は、操作ボタン１０８の０．２ｍｍ以下の押し下げでスイッチング動作するので、アクチュエータ１０７の平面位置にばらつきのあるプッシュスイッチ１００に対しては、機器のケースなどに取り付けられる操作ボタン１０８の底面とアクチュエータ１０７との間に間隙を設けてその誤差を吸収する必要があり、操作ボタン１０８を押し下げてもすぐにスイッチング動作せず、また、ＭＴ板１０１に発生するクリック感が操作者に伝達されないという操作感上の新たな問題が発生する。
【００１３】
本発明は、このような従来の問題点を考慮してなされたものであり、部品点数を減少させ、簡単な加工で、高精度に反転バネ上の可撓性シートにアクチュエータを取り付けることができるプッシュスイッチとその製造方法を提供することを目的とする。
【課題を解決するための手段】
【００１４】
上述の目的を達成するため、請求項１のプッシュスイッチは、上方に開口するバネ収容室が形成され、バネ収容室の内底面に固定接点と切り換え接点が露出する絶縁ケースと、導電金属薄板をドーム状に折り曲げて形成され、ドーム状の周縁が固定接点に常時接触し、内頂部が切り換え接点の鉛直線上の上方に離間して、バネ収容室に収容される反転バネと、絶縁ケースに収容される反転バネの頂部に接し、バネ収容室の開口を覆う可撓性シートと、反転バネの頂部が接する部位の可撓性シート上に固着されるアクチュエータとを備え、アクチュエータを押し下げて反転動作する反転バネにより、固定接点と切り換え接点間を短絡させるプッシュスイッチであって、アクチュエータは、紫外線硬化型接着剤に対し分離可能な非着型材を用いて、可撓性シート上に吐出した前記紫外線硬化型接着剤を、前記非着型材の水平面とした底面で可撓性シート側に押し込んだ状態で、紫外線硬化させて形成されることを特徴とする。
【００１５】
可撓性シート上に吐出した紫外線硬化型接着剤は、水平面とした非着型材の底面で押し込まれて平面が水平面となり、紫外線硬化することにより、その底面が可撓性シートに接着し、可撓性シート上に平面が水平面となるアクチュエータが形成される。
【００１６】
請求項２のプッシュスイッチは、非着型材で紫外線硬化型接着剤を押し込む押圧力は、反転バネを反転動作させる押圧力未満であることを特徴とする。
【００１７】
反転動作前の反転バネの鉛直方向の撓み量は、非着型材で紫外線硬化型接着剤を押し込む押圧力にほぼ比例するので、可撓性シート上に吐出する紫外線硬化型接着剤の量と押し込む押圧力を調整し、絶縁ケースから紫外線硬化させて形成したアクチュエータの平面までの高さを高精度に制御できる。
【００１８】
請求項３のプッシュスイッチは、アクチュエータの水平方向の外径が０．６５ｍｍ以上で、反転バネの直径に対して４０％未満であることを特徴とする。
【００１９】
アクチュエータの水平方向の外径が０．６５ｍｍ未満であると、可撓性シートへの固着力が充分ではなく、組み立て工程中にアクチュエータに外力が加わると可撓性シートから外れやすい。また、アクチュエータの水平方向の外径が反転バネの直径に対して４０％以上であると、反転バネの表面の広範囲に押し下げ操作力が分散して作用し、反転バネが正常に反転動作しない。
【００２０】
請求項４のプッシュスイッチの製造方法は、ア）絶縁ケースの平面から凹設され、内底面に固定接点と切り換え接点が露出するバネ収容室内に、導電金属薄板をドーム状に折り曲げて形成した反転バネを、ドーム状の周縁が固定接点に常時接触し、内頂部が切り換え接点の鉛直線上の上方に離間するように収容する第１工程と、
（イ）バネ収容室内に反転バネを収容した絶縁ケースの平面に可撓性シートを固着し、可撓性シートの底面に反転バネの頂部が接する状態で、バネ収容室の開口を覆う第２工程と、
（ウ）反転バネの頂部が接する部位の可撓性シート上に、未硬化の紫外線硬化型接着剤を吐出する第３工程と、
（エ）可撓性シート上に吐出した未硬化の紫外線硬化型接着剤を、該紫外線硬化型接着剤に対し分離可能な非着型材の水平面とした底面で可撓性シート側に押し込み、未硬化の紫外線硬化型接着剤を型決めする第４工程と、
（オ）型決めした未硬化の紫外線硬化型接着剤に紫外線を照射し、硬化した紫外線硬化型接着剤から平面が水平面のアクチュエータを形成する第５工程と、
を備えたことを特徴とする。
【００２１】
平面が平坦面のアクチュエータ用部品を製造して用意することなく、第４工程で型決めした未硬化の紫外線硬化型接着剤に紫外線を照射するだけで、平面が平坦面のアクチュエータが可撓性シート上に形成される。
【００２２】
請求項５のプッシュスイッチの製造方法は、第４工程で、未硬化の紫外線硬化型接着剤を非着型材の底面で押し込む押圧力は、反転バネを反転動作させる押圧力未満であることを特徴とする。
【００２３】
反転動作前の反転バネの鉛直方向の撓み量は、非着型材で紫外線硬化型接着剤を押し込む押圧力にほぼ比例するので、第３工程で吐出する紫外線硬化型接着剤の量と第４工程で未硬化の紫外線硬化型接着剤を押し込む押圧力を調整することにより、絶縁ケースから紫外線硬化させて形成したアクチュエータの平面までの高さを高精度に制御できる。
【発明の効果】
【００２４】
請求項１又は請求項４の発明によれば、アクチュエータ用の部品を用意することなく、未硬化の紫外線硬化型接着剤に紫外線を照射するだけで、平面が平坦面のアクチュエータが可撓性シート上の所定位置に形成できる。
【００２５】
また、反転バネを収容した絶縁ケースから可撓性シートまでの鉛直方向の組み立て誤差を、紫外線硬化型接着剤から形成するアクチュエータの高さで相殺できるので、微小ストロークでスイッチング動作するプッシュスイッチであっても、アクチュエータ上に隙間なく操作ボタンを配設することができる。
【００２６】
請求項２又は請求項５の発明によれば、鉛直方向に撓む反転バネの上方にアクチュエータを形成しても、絶縁ケースからアクチュエータの平面までの高さを高精度に制御できる。
【００２７】
請求項３の発明によれば、紫外線硬化型接着剤の吐出量と非着型材による押圧力を調整することにより、組み立て工程中にアクチュエータが可撓性シートから外れることがなく、反転バネが正常に反転動作するプッシュスイッチが得られる。
【図面の簡単な説明】
【００２８】
【図１】本発明の第１実施の形態に係るプッシュスイッチ１の各製造工程を示し、（ａ）は、絶縁ケース３を覆う可撓性シート７上に紫外線硬化型接着剤８’を吐出するディスペンサー１０を接近させる工程を、（ｂ）は、絶縁ケース３に収容されるＭＴ板６の頂部上方の可撓性シート７上に紫外線硬化型接着剤８’を吐出した工程を、（ｃ）は、非着型材１１で吐出された紫外線硬化型接着剤８’を下方に押し込み、未硬化の紫外線硬化型接着剤８’を型決めする工程を、（ｄ）は、紫外線硬化型接着剤８’に紫外線を照射する工程を、（ｅ）は、非着型材１１を紫外線硬化型接着剤８’から分離する工程を、それぞれ示す縦断面図である。
【図２】プッシュスイッチ１の斜視図である。
【図３】プッシュスイッチ１の部分破断斜視図である。
【図４】プッシュスイッチ１の分解斜視図である。
【図５】プッシュスイッチ１の組み立て状態を示す縦断面図である。
【図６】ＭＴ板６の加重−変位特性を示すグラフである。
【図７】従来のプッシュスイッチ１００の縦断面図である。
【発明を実施するための形態】
【００２９】
以下、本発明の一実施の形態に係るプッシュスイッチ１とその製造方法を、図１乃至図７を用いて説明する。プッシュスイッチ１は、円筒状のバネ収容室２が平面の中央から凹設された厚板状の絶縁ケース３と、絶縁ケース３に互いに絶縁して固定された固定端子４及び切り換え端子５と、バネ収容室２に収容される反転バネであるＭＴ板６と、バネ収容室２の上方の開口を覆う可撓性シート７と、可撓性シート７上に固着される裁頭円錐状のアクチュエータ８とで構成される。
【００３０】
固定端子４と切り換え端子５は、インサート成形によって絶縁ケース３に一体に固定されるもので、図４に示すように、固定端子４の一側の固定接点４ａは、バネ収容室２の内底面の中心回りに半円状に露出し、他側の脚部４ｂは、絶縁ケース３の一辺に沿った底面から両側面にかけて帯状に露出している。また、切り換え端子５の一側の切り換え接点５ａは、バネ収容室２の内底面の中心近傍で円形に露出し、他側の脚部５ｂは、絶縁ケース３の他側の一辺に沿って底面から両側面にかけて帯状に露出している。
【００３１】
ＭＴ板６は、導電性とバネ性を有する導電金属薄板で、ここでは燐青銅の薄板を上方に向かって凸曲面となるドーム状に折り曲げ加工して形成され、外周の輪郭は、半円状の固定接点４ａとほぼ同じ曲率の円形で、円形の両側を平行な弦でカットした小判状となっている。このＭＴ板６は、長手方向の両側の外周部分が、固定接点４ａの半円状の両側のリブ上に載置され、中央の内頂部が、切り換え接点５ａ上で所定の間隔を隔てて対向するようにバネ収容室２に収容される。
【００３２】
ＭＴ板６は、金属薄板を折り曲げてドーム状に形成されることにより、その頂部に下方に向かう一定の加重を加えると、外周の形状を維持したまま（すなわち、固定接点４ａに接触する状態を維持したまま）頂部が急激に下降して変形するいわゆる反転動作を行う。図６は、外周の輪郭の円形部分の直径が２．３ｍｍ、外周から頂部までの高さが０．１５ｍｍの大きさのＭＴ板６の頂部に加えた加重（Ｎ）とその時の頂部の変位（ｍｍ）を示すグラフであり、図示するように、１．６Ｎまでの加重では、弾性変形し、加重に対して変位がほぼ比例する。また、加重が１．６Ｎを越えると、ＭＴ板６は、急激に反転動作し、変位が０．４ｍｍほど増加するにもかかわらず、加重が０．７Ｎ程度まで減少する。このように反転動作するＭＴ板６は、反転動作した後の内頂部が切り換え接点５ａに接するように、ＭＴ板６の外周を載置する固定接点４ａと切り換え接点５ａ間の高さを調整する。本実施の形態で用いるＭＴ板６では、反転動作した後の自由状態（無加重）からの変位が０．１５ｍｍであり、外周から頂部までの高さに等しいので、バネ収容室２の内底面に露出する固定接点４ａと切り換え接点５ａは、ほぼ同一水平面上に露出している。
【００３３】
操作者がＭＴ板６を反転動作させる押し下げ操作を行うと、ＭＴ板６が反転動作することにより、固定接点４ａと切り換え接点５ａ間が短絡してスイッチング動作（オン動作）が行われるととともに、操作者には、急激に押し下げ操作力が低下するいわゆるクリック感が得られ、スイッチング動作が行われたことをクリック感から確認できる。また、押し下げ操作を解除すると、自らの弾性でＭＴ板６は、ドーム状の原形状に復帰し、切り換え接点５ａとＭＴ板６間が絶縁されることにより、スイッチング動作前の状態（オフ動作）に復帰する。
【００３４】
ＭＴ板６を収容したバネ収容室２の開口を覆う可撓性シート７は、ポリイミドで形成され、バネ収容室２の周囲の絶縁ケース３の平面に接着剤で固着される。固定接点４ａ上に載置されるＭＴ板６は、頂部がバネ収容室２から上方にわずかに突出し、従って、バネ収容室２の開口を覆う可撓性シート７の底面に頂部が接した状態で、バネ収容室２が外部と遮断される。バネ収容室２を外部と遮断することにより、後述する紫外線硬化型接着剤８’から紫外線硬化する際にガスが発生しても、ＭＴ板６、固定接点４ａ及び切り換え接点５ａが腐食することがない。また、反転動作によりＭＴ板６が切り換え接点５ａに当接する衝撃で微振動しても、ＭＴ板６の頂部に可撓性シート７が接しているので、速やかに微振動が吸収され、いわゆるチャタリングの発生が抑止される。
【００３５】
アクチュエータ８は、ＭＴ板６の頂部が接する部位の可撓性シート７の上方に接着される紫外線硬化型接着剤８’から形成される。ここでは、紫外線硬化型接着剤８’として、エポキシ系の接着剤を用い、エポキシ系の紫外線硬化型接着剤８’が接着しない非着材質で形成した非着型材１１の平坦な底面で、可撓性シート７側に押し込んだ状態で紫外線を照射して硬化させ、可撓性シート７上に接着する平面が平坦面となったアクチュエータ８を形成する。
【００３６】
このプッシュスイッチ１は、プリント配線基板１２の表面に配線された一対の導電パターン（図示せず）に、それぞれ固定端子４と切り換え端子５の脚部４ｂ、５ｂを半田接続して、プリント配線基板１２上に表面実装される。通常は、図５に示すように、プッシュスイッチ１を入力デバイスとして用いる機器のケース２１の窓孔に上下動自在に取り付けられた操作ボタン２０の底面に、プッシュスイッチ１のアクチュエータ８の平面が当接するように、プリント配線基板１２上に配置され、操作ボタン２０を押し下げ操作することにより、スイッチング動作する。
【００３７】
このような使用状態で、図示するようにケース２１に取り付けられた操作ボタン２０の中心がアクチュエータ８から外れ、ＭＴ板６の頂部の鉛直方向から外れた操作ボタン２０の位置で押し下げ操作があっても、頂部の上方で可撓性シート７に固着されるアクチュエータ８を介してＭＴ板６の頂部が下方に押し下げられるので、ＭＴ板６は、正常な姿勢で反転動作する。
【００３８】
次に、上述のプッシュスイッチ１の製造方法を、図１を用いて更に詳述する。始めに、固定端子４と切り換え端子５をインサート成形した絶縁ケース３のバネ収容室２に、ＭＴ板６を収容し、可撓性シート７をバネ収容室２周囲の絶縁ケース３の平面に接着してバネ収容室２の開口を覆っておく。バネ収容室２に収容されたＭＴ板６は、円形輪郭の周囲が固定接点４ａ上に載置されて常時接触し、可撓性シート７の底面に接する頂部の底面側の内頂部が切り換え接点５ａの鉛直線上の上方に配置されている。
【００３９】
続いて、ＭＴ板６を収容した絶縁ケース３を水平な作業台上に配置し、図１（ａ）に示すように、ＭＴ板６の頂部の上方から未硬化の紫外線硬化型接着剤８’を定量吐出するディスペンサー１０を接近させ、同図（ｂ）に示すように、ＭＴ板６の頂部が接する可撓性シート７の平面側の部位に、未硬化の紫外線硬化型接着剤８’を所定量吐出する。この吐出量は、紫外線硬化した際に収縮してアクチュエータ８が形成されることを考慮し、形成後のアクチュエータ８の可撓性シート７に沿った外径が０．６５ｍｍ以上で、ＭＴ板６の長手方向の径を２．３ｍｍとしてその４０％未満の０．９２ｍｍ未満となるようにディスペンサー１０で制御される。
【００４０】
可撓性シート７上に吐出された未硬化の紫外線硬化型接着剤８’は、同図（ｃ）に示すように、非着型材１１で上方から押し込まれる。非着型材１１は、エポキシ系の紫外線硬化型接着剤８’が接着しないテフロン（登録商標）で底面が平坦面となった円柱状に形成され、底面を含むその表面は、紫外線硬化する際に発生する紫外線硬化型接着剤８’の気化成分により腐食しないようにポリマーコートで覆われている。
【００４１】
底面が平坦面の非着型材１１を未硬化の紫外線硬化型接着剤８’に向けて鉛直方向下方に押し込むことにより、紫外線硬化型接着剤８’の平面は平坦面に型決めされる。非着型材１１の最大下降位置は、定位置となるように制御され、従って、ＭＴ板６を収容し、絶縁ケース３の平面を可撓性シート７で覆う工程で鉛直方向の製造誤差があっても、非着型材１１で押し込まれる未硬化の紫外線硬化型接着剤８’の高さが変化してその誤差を吸収し、非着型材１１を最大下降位置まで下降させた状態で、絶縁ケース３の底面から紫外線硬化型接着剤８’の平面までの高さは、高精度で均一に制御される。尚、この時に非着型材１１が押し込む押圧力は、ＭＴ板６が反転動作する前の弾性変形領域内であり、例えば押圧力が１．０Ｎであれば、ＭＴ板６の変位は約０．０８ｍｍと算定可能な値であるので、紫外線硬化する際の収縮率を考慮して、最終的に成形されるアクチュエータ８の平面の高さも高精度に制御できる。
【００４２】
非着型材１１を最大下降位置まで押し込んだ状態で、同図（ｄ）に示すように、未硬化の紫外線硬化型接着剤８’に紫外線を照射して硬化させる。上述したように紫外線硬化型接着剤８’が硬化する際には、その一部が気化してガスが発生するが、バネ収容室２は外部と遮断されるので、バネ収容室２内に配置されるＭＴ板６、固定接点４ａ及び切り換え接点５ａが気化ガスにより腐食することがない。
【００４３】
未硬化の紫外線硬化型接着剤８’が紫外線硬化すると、その底面は可撓性シート７に接着し、平面は非着型材１１と接着しないので、平坦面を残して非着型材１１を上方へ分離可能となる。従って、同図（ｅ）に示すように、非着型材１１を上方へ引き上げると、紫外線硬化した紫外線硬化型接着剤８’から、平面が平坦面となったアクチュエータ８が形成され、ＭＴ板６の頂部の上方で、裁頭円錐状のアクチュエータ８が可撓性シート７に固着されたプッシュスイッチ１が製造される。
【００４４】
上述の製造工程で製造したプッシュスイッチ１は、アクチュエータ８の平面が平坦面となったアクチュエータ８がＭＴ板６の頂部の鉛直線上に配置されているので、プッシュスイッチ１を操作する操作ボタン２０の押し下げ操作位置がＭＴ板６の頂部の上方から外れていても、ＭＴ板６はアクチュエータ８から頂部が鉛直方向に沿って押し下げられ、正常な姿勢で反転動作し、確実にスイッチング動作すると共に、明確なクリック感を発生させる。
【００４５】
また、プッシュスイッチ１の絶縁ケース３の底面からアクチュエータ８の底面までの高さの製造誤差が小さく、アクチュエータ８を押し下げる操作ボタン２０を隙間なくアクチュエータ８の上方に配置することができるので、遊びなく操作ボタン２０を０．１乃至０．２ｍｍ程度の微小ストロークの押し下げ操作して、プッシュスイッチ１をスイッチング操作でき、ＭＴ板６から発生するクリック感が操作ボタン２０へ明確に伝達される。
【００４６】
また、上述のプッシュスイッチの製造方法によれば、所定形状のアクチュエータ８を製造する工程や、アクチュエータを部品として用意する必要がなく、紫外線硬化型接着剤８’を型決めしながら硬化させる工程で、所定形状のアクチュエータが得られる。
【００４７】
上述の実施の形態では、アクチュエータ８の上方に配置する操作ボタン２０を押し下げてプッシュスイッチ１をスイッチング動作させる例で説明したが、操作ボタン２０を用いずにアクチュエータ８を直接押し下げ操作するプッシュスイッチであってもよい。
【００４８】
また、反転バネであるＭＴ板６の大きさや形状は、中央の頂部が最も高いドーム状であれば、上記実施の形態に限らず、従って、必ずしも図６に示す加重−変位特性を示す反転バネに限らない。
【００４９】
また、可撓性シート７は、ＭＴ板６の頂部に接しているが、必ずしも両者を粘着させたり、接着させる必要はない。
【産業上の利用可能性】
【００５０】
本発明は、ドーム状の頂部を押し下げることにより、急激に反転動作する反転バネを可動接点板に用いたプッシュスイッチに適している。
【符号の説明】
【００５１】
１      プッシュスイッチ
２      バネ収容室
３      絶縁ケース
４ａ    固定接点
５ａ    切り換え接点
６      ＭＴ板（反転バネ）
７      可撓性シート
８      アクチュエータ
８’    紫外線硬化型接着剤
１１    非着型材
【図１】
0005321701.tif 000002
【図２】
0005321701.tif 000003
【図３】
0005321701.tif 000004
【図４】
0005321701.tif 000005
【図５】
0005321701.tif 000006
【図６】
0005321701.tif 000007
【図７】
0005321701.tif 000008